(57)【要約】【課題】液体収容容器が傾いた状態で使用されてもフィルター室に気泡が溜まりにくい液体収容容器及び液体噴射装置を提供する。【解決手段】液体収容容器は、第１液体収容室３１と、フィルター５０と、フィルター５０が配置されるフィルター室４２と、第１液体収容室３１とフィルター室４２とを区画する隔壁４７と、を備える。フィルター室４２は、第１液体収容室３１に対して鉛直方向下方である−Ｚ方向に配置される。隔壁４７は、フィルター５０に覆われる導出口１０６を有してフィルター５０を通過した液体を液体噴射ヘッドに向けて導出する導出路５１と、導出路５１とは異なる位置に設けられて第１液体収容室３１とフィルター室４２とに連通する連通路として第１連通口１１１を有する第１連通路４８と第２連通口１１２を有する第２連通路４９と、を有する。【選択図】図６
2020131441.tif 000002
【特許請求の範囲】
【請求項１】
液体を噴射する液体噴射ヘッドと、前記液体噴射ヘッドを第１走査方向及び該第１走査方向とは反対の第２走査方向に往復移動させるキャリッジと、を備える液体噴射装置の前記キャリッジに使用姿勢で搭載され、前記液体噴射ヘッドに前記液体を供給する液体収容容器であって、
前記液体を収容可能な液体収容室と、
前記液体を濾過するフィルターと、
前記フィルターが配置されるフィルター室と、
前記液体収容室と前記フィルター室とを区画する隔壁と、を備え、
前記フィルター室は、前記使用姿勢において前記液体収容室よりも鉛直方向下方となる位置に配置され、
前記隔壁は、
前記フィルターに覆われる導出口を有し、前記フィルターを通過した前記液体を前記液体噴射ヘッドに向けて導出する導出路と、
前記導出路とは異なる位置に設けられ、前記フィルター室に開口する第１連通口及び第２連通口を介して前記液体収容室と前記フィルター室とに連通する連通路と、を有する
ことを特徴とする液体収容容器。
【請求項２】
前記使用姿勢にある前記液体収容容器を前記鉛直方向下方から見た平面視において、
前記第１連通口は、前記導出口よりも前記第１走査方向に位置する部分を有し、
前記第２連通口は、前記導出口よりも前記第２走査方向に位置する部分を有する
ことを特徴とする請求項１に記載の液体収容容器。
【請求項３】
前記使用姿勢にある前記液体収容容器を前記鉛直方向下方から見た平面視において前記第１走査方向及び前記第２走査方向に直交する方向を副走査方向とするとき、
前記第１連通口は、前記導出口よりも前記副走査方向における一方側に位置する部分を有し、
前記第２連通口は、前記導出口よりも前記副走査方向における他方側に位置する部分を有する
ことを特徴とする請求項１または請求項２に記載の液体収容容器。
【請求項４】
前記隔壁は、前記使用姿勢において前記フィルター室における鉛直方向上方の面を形成するフィルター室形成面を有し、
前記フィルター室形成面は、前記使用姿勢にある前記液体収容容器を前記鉛直方向下方から見た平面視において、前記導出口の外側に位置する外周縁が四角形状に形成され、対角位置に位置する一対の角部である第１角部と第２角部とを有し、
前記第１連通口は、前記第１角部の外縁の一部によって区画される部分を有し、
前記第２連通口は、前記第２角部の外縁の一部によって区画される部分を有する
ことを特徴とする請求項１から請求項３のいずれか一項に記載の液体収容容器。
【請求項５】
前記フィルターの流入面が前記第１連通口及び前記第２連通口の少なくとも１つに向けて傾斜している
ことを特徴とする請求項１から請求項４のいずれか一項に記載の液体収容容器。
【請求項６】
前記液体収容容器は、前記隔壁を含んで構成されて前記液体収容室の底面を形成する底面形成部を有し、
前記連通路は、前記底面形成部の長手方向において、前記底面形成部の中央に対する一方側と他方側とで前記液体収容室に開口している
ことを特徴とする請求項１から請求項５のいずれか一項に記載の液体収容容器。
【請求項７】
液体を噴射する液体噴射ヘッドと、
前記液体噴射ヘッドを第１走査方向及び該第１走査方向とは反対の第２走査方向に往復移動させるキャリッジと、
前記キャリッジに搭載され、前記液体噴射ヘッドに前記液体を供給する液体収容容器と、を備えた液体噴射装置であって、
前記液体収容容器が請求項１から請求項６のいずれか一項に記載の液体収容容器である
ことを特徴とする液体噴射装置。
【発明の詳細な説明】
【技術分野】
【０００１】
本発明は、液体収容容器、及び、該液体収容容器を搭載した液体噴射装置に関する。
【背景技術】
【０００２】
従来から、液体を噴射する液体噴射ヘッドを有する液体噴射装置として、液体噴射ヘッドを搭載するキャリッジに対し、液体噴射ヘッドに供給される液体を収容する液体収容容器が搭載されたオンキャリッジ型の液体噴射装置が知られている。液体収容容器は、液体を収容する液体収容室と、液体収容室から液体噴射ヘッドに供給される液体が流れる液体流通路と、を有している。液体流通路には、液体噴射ヘッドに供給される液体を濾過するフィルターが設けられている。液体収容容器は、液体収容室内の液体をフィルターで濾過したうえで液体噴射ヘッドに供給する。
【０００３】
ところで、液体収容容器においては、液体収容室内の空気が液体流通路に侵入し、フィルターに付着することがある。こうした気泡は、液体噴射ヘッドに対する円滑な液体の供給の妨げとなる。特許文献１には、フィルターの上流側にバッファー室を設けるとともに、該バッファー室の天井壁を傾斜させることで液体の供給の妨げとならない位置へと気泡を案内する技術が開示されている。このバッファー室は、フィルターに流入する液体が流れるフィルター室として機能する。
【先行技術文献】
【特許文献】
【０００４】
【特許文献１】特開２０１５−１８２２８０号公報
【発明の概要】
【発明が解決しようとする課題】
【０００５】
しかしながら、特許文献１の構成では、液体収容容器が傾いた状態で液体噴射装置が使用された場合にフィルター室内の気泡の処理に関して十分な考慮がなされているとは言い難かった。
【課題を解決するための手段】
【０００６】
上記課題を解決する液体収容容器は、液体を噴射する液体噴射ヘッドと、前記液体噴射ヘッドを第１走査方向及び該第１走査方向とは反対の第２走査方向に往復移動させるキャリッジと、を備える液体噴射装置の前記キャリッジに使用姿勢で搭載され、前記液体噴射ヘッドに前記液体を供給する液体収容容器であって、前記液体を収容可能な液体収容室と、前記液体を濾過するフィルターと、前記フィルターが配置されるフィルター室と、前記液体収容室と前記フィルター室とを区画する隔壁と、を備え、前記フィルター室は、前記使用姿勢において前記液体収容室よりも鉛直方向下方となる位置に配置され、前記隔壁は、前記フィルターに覆われる導出口を有し、前記フィルターを通過した前記液体を前記液体噴射ヘッドに向けて導出する導出路と、前記導出路とは異なる位置に設けられ、前記フィルター室に開口する第１連通口及び第２連通口を介して前記液体収容室と前記フィルター室とに連通する連通路と、を有する。
【０００７】
上記課題を解決する液体噴射装置は、液体を噴射する液体噴射ヘッドと、前記液体噴射ヘッドを第１走査方向及び該第１走査方向とは反対の第２走査方向に往復移動させるキャリッジと、前記キャリッジに搭載され、前記液体噴射ヘッドに前記液体を供給する液体収容容器と、を備えた液体噴射装置であって、前記液体収容容器は、液体を噴射する液体噴射ヘッドと、前記液体噴射ヘッドを第１走査方向及び該第１走査方向とは反対の第２走査方向に往復移動させるキャリッジと、を備える液体噴射装置の前記キャリッジに使用姿勢で搭載され、前記液体噴射ヘッドに前記液体を供給する液体収容容器であって、前記液体を収容可能な液体収容室と、前記液体を濾過するフィルターと、前記フィルターが配置されるフィルター室と、前記液体収容室と前記フィルター室とを区画する隔壁と、を備え、前記フィルター室は、前記使用姿勢において前記液体収容室よりも鉛直方向下方となる位置に配置され、前記隔壁は、前記フィルターに覆われる導出口を有し、前記フィルターを通過した前記液体を前記液体噴射ヘッドに向けて導出する導出路と、前記導出路とは異なる位置に設けられ、前記フィルター室に開口する第１連通口及び第２連通口を介して前記液体収容室と前記フィルター室とに連通する連通路と、を有する。
【図面の簡単な説明】
【０００８】
【図１】液体噴射装置の一実施形態の概略構成を示す図。
【図２】液体収容容器の一実施形態の概略構成を示す図。
【図３】使用姿勢にある液体収容容器を鉛直方向下方から見たときの斜視図。
【図４】使用姿勢にある液体収容容器を鉛直方向上方から見たときの斜視図。
【図５】使用姿勢にある液体収容容器を鉛直方向下方から見た平面視におけるフィルター室付近の構造を一部の部材を省略して示す平面図。
【図６】フィルター室付近の構造を模式的に示す断面図。
【図７】使用姿勢にある液体収容容器を鉛直方向下方から見た平面視におけるフィルター室内での気泡の動きの一例を模式的に示す平面図。
【図８】図７の８−８線における断面図。
【図９】使用姿勢にある液体収容容器を鉛直方向下方から見た平面視におけるフィルター室内での気泡の動きの他の例を模式的に示す平面図。
【図１０】図９の１０−１０線における断面図。
【図１１】液体収容容器の長手方向が傾いた状態にあるときの第１液体収容室内の様子の一例を示す図。
【図１２】液体収容容器の長手方向が傾いた状態にあるときの第１液体収容室内の様子の他の例を示す図。
【図１３】変形例において、フィルターの流入面の配置を示す図。
【図１４】変形例において、フィルターの流入面の配置を示す図。
【図１５】変形例において、連通口の形成位置の一例を示す図。
【発明を実施するための形態】
【０００９】
図を参照して、液体収容容器及び液体噴射装置の一実施形態について説明する。
液体収容容器は、用紙などの媒体に対して液体の一例であるインクを噴射することにより媒体に文字や画像等を印刷するインクジェット式のプリンターなどの液体噴射装置に装着されるものである。
【００１０】
図１は、液体噴射装置の一実施形態の概略構成を示す図である。図１に記載されているＸ軸、Ｙ軸、及びＺ軸は、互いに直交する３つの空間軸である。Ｘ軸、Ｙ軸、及びＺ軸を示す矢印が指す方向は、それぞれＸ軸、Ｙ軸、及びＺ軸に沿った正の方向を示している。Ｘ軸、Ｙ軸、及びＺ軸に沿った正の方向は、それぞれ＋Ｘ方向、＋Ｙ方向、＋Ｚ方向で示される。Ｘ軸、Ｙ軸、及びＺ軸を示す矢印が指す方向とは反対の方向は、それぞれＸ軸、Ｙ軸、Ｚ軸に沿った負の方向である。Ｘ軸、Ｙ軸、及びＺ軸に沿った負の方向は、それぞれ−Ｘ方向、−Ｙ方向、−Ｚ方向で示される。Ｘ軸、Ｙ軸、及びＺ軸に沿った方向で正負を問わないものを、それぞれＸ方向、Ｙ方向、及びＺ方向という。なお、液体噴射装置１０は、Ｘ方向とＹ方向とを含む水平面に設置された使用状態では、＋Ｚ方向が鉛直方向上方となり、−Ｚ方向が鉛直方向下方となる。以下の説明において、Ｘ方向、Ｙ方向、及びＺ方向は、液体噴射装置１０の使用状態におけるものとする。また、他の図に描かれたＸＹＺ軸は、図１のＸＹＺ軸に対応している。
【００１１】
図１に示すように、液体噴射装置１０は、ケース１１、支持台１２、ガイド軸１３、キャリッジ１４、液体噴射ヘッド１５、液体収容容器１６、メンテナンス装置１７、及び制御部１８を備えている。
【００１２】
支持台１２は、ケース１１の内部をＸ方向に延びており、媒体Ｐを下方から支持する。媒体Ｐは、図示しない送り機構により、キャリッジ１４が移動する方向である主走査方向と直交する副走査方向に支持台１２上を給送される。液体噴射装置１０において、主走査方向はＸ方向に設定され、副走査方向はＹ方向に設定されている。
【００１３】
ガイド軸１３は、支持台１２に対する＋Ｚ方向に位置する。ガイド軸１３は、主走査方向であるＸ方向に延びる棒状の部材である。ガイド軸１３は、ガイド軸１３に沿って移動可能にキャリッジ１４を支持している。キャリッジ１４は、図示しない移動機構によりガイド軸１３に沿って往復移動可能に構成されている。すなわち、キャリッジ１４は、第１走査方向である＋Ｘ方向と第２走査方向である−Ｘ方向とに移動可能に構成されている。
【００１４】
キャリッジ１４には、液体収容容器１６が着脱可能に装着される装着部１９が設けられている。装着部１９は、例えば＋Ｚ方向が開口する凹部である。装着部１９は、液体収容容器１６が装着される装着空間を形成する。装着部１９には、装着空間の底面から＋Ｚ方向に突出する供給針２０が設けられている。供給針２０は、装着部１９に装着された液体収容容器１６と接続される。
【００１５】
キャリッジ１４には、液体噴射ヘッド１５が搭載されている。液体噴射ヘッド１５は、装着部１９に対する−Ｚ方向に位置している。液体噴射ヘッド１５は、支持台１２に支持されている媒体Ｐに向けて液体を噴射して印刷する複数のノズル２１と、ノズル２１と供給針２０とを連通させる連通流路２２と、を有している。装着部１９に液体収容容器１６が装着されると、液体収容容器１６に収容された液体が供給針２０および連通流路２２を介してノズル２１に供給される。
【００１６】
メンテナンス装置１７は、液体噴射ヘッド１５のメンテナンスを行う。メンテナンス装置１７は、キャリッジ１４の待機位置に対する−Ｚ方向に位置している。メンテナンス装置１７は、液体噴射ヘッド１５に対して接近または離間する方向に昇降可能に設けられたキャップ２３と、キャップ２３に上流端が接続された排出路２４と、排出路２４の途中位置に設けられた排出ポンプ２５と、を備える。
【００１７】
メンテナンス装置１７は、キャップ２３が液体噴射ヘッド１５に接触した状態で、キャップ２３と液体噴射ヘッド１５との間で閉塞された空間を排出ポンプ２５で減圧することで、ノズル２１から液体を排出するクリーニング動作を実行する。
【００１８】
メンテナンス装置１７は、液体噴射ヘッド１５が印刷とは関係なくノズル２１から液体を噴射するフラッシング動作により噴射された液体を、液体噴射ヘッド１５から離れた状態のキャップ２３で受容する。
【００１９】
制御部１８は、例えばコンピューター及びメモリーを含む処理回路等から構成され、メモリーに記憶されたプログラムに従って液体噴射装置１０の各種動作を制御する。制御部１８は、例えば、媒体Ｐの送りやキャリッジ１４の移動、液体噴射ヘッド１５による液体の噴射、メンテナンス装置１７によるメンテナンスなどを制御する。
【００２０】
このように液体噴射装置１０は、液体噴射ヘッド１５と液体収容容器１６とがキャリッジ１４とともに往復移動するオンキャリッジ型の液体噴射装置である。なお、装着部１９は、複数の液体収容容器１６が装着可能に構成されていてもよい。この場合、各液体収容容器１６にはそれぞれ異なる種類の液体を収容してもよい。複数の異なる液体とは、例えば、ブラック、シアン、マゼンタ、イエロー等の色の異なるインクである。また、供給針２０、ノズル２１、及び連通流路２２は、装着可能な液体収容容器１６に個別に対応して設けられる。
【００２１】
図２を参照して、液体収容容器１６の概略構成について説明する。
以下の説明において、「上流側」及び「下流側」は、液体収容容器１６から液体噴射ヘッド１５に向かう液体の流れを基準としたものである。図２において液体が存在する領域にはドットを付している。また、使用状態にある液体噴射装置１０のキャリッジ１４に搭載された液体収容容器１６の姿勢を使用姿勢という。
【００２２】
図２に示すように、液体収容容器１６は、液体が流通する主な液体流通路として、上流側から順に、第１液体収容室３１と、接続流路３２と、第２液体収容室３３と、液体連通流路３４と、液体供給部３５と、を備える。
【００２３】
液体収容容器１６は、液体注入部３８を通じて第１液体収容室３１に外部から液体が注入可能に構成されている。第１液体収容室３１は、大気導入部３９を通じて大気と連通している。
【００２４】
第１液体収容室３１は、接続流路３２を通じて第２液体収容室３３と連通する。第１液体収容室３１は、第２液体収容室３３に供給する液体、つまり、第２液体収容室３３に収容される前の液体を収容する。
【００２５】
接続流路３２は、第１液体収容室３１と第２液体収容室３３とを接続する。接続流路３２は、第１液体収容室３１の液体を第２液体収容室３３に供給可能に構成されている。接続流路３２は、上流側から順に、フィルター室４２と、第１中間流路４３と、中間弁４４の弁室４５と、第２中間流路４６と、を有する。フィルター室４２は、使用姿勢において第１液体収容室３１よりも−Ｚ方向に位置するように形成されている。
【００２６】
フィルター室４２は、第１液体収容室３１に連通している。詳細には、フィルター室４２は、第１液体収容室３１とフィルター室４２とを区画する隔壁４７に形成された複数の連通路を通じて第１液体収容室３１に接続されている。本実施形態のフィルター室４２は、第１連通路４８と第２連通路４９とを通じて第１液体収容室３１に接続されている。
【００２７】
フィルター室４２には、フィルター５０が配置されている。フィルター室４２は、フィルター５０によって濾過される前の液体が流れる空間である。フィルター５０は、例えば、複数の細孔を有する平板状のステンレス鋼によって形成される。フィルター５０は、液体が流入する流入面５０ａを有する。フィルター５０は、細孔を通じて液体を通過させ、細孔よりも大きな異物を捕捉する。フィルター５０は、フィルター５０を通過する液体に含まれる異物を捕捉することでフィルター５０の下流側に異物が流入することを抑制する。これにより、異物に起因した液体噴射ヘッド１５の目詰まりや液体の噴射不良の発生が低減される。また、中間弁４４の上流にフィルター５０が配置されていることで、異物が中間弁４４に流入する可能性が低減される。これにより、異物に起因して中間弁４４に異常が発生する可能性を低減できる。なお、フィルター５０は、液体の通過と異物の捕捉とを具現化できるものであればよく、ステンレス鋼で形成されるものに限らず、他の材質で形成されてもよい。
【００２８】
フィルター５０を通過した液体は、隔壁４７に形成される導出路５１によって第１中間流路４３へと導出される。導出路５１は、フィルター５０を通過した液体を第１中間流路４３に導出することでフィルター室４２から液体噴射ヘッド１５に向けて液体を導出する。
【００２９】
第１中間流路４３は、導出路５１と中間弁４４の弁室４５とを接続する。第１中間流路４３は、フィルター５０を通過した液体が中間弁４４に向かって流れる流路である。中間弁４４は、第１液体収容室３１から第２液体収容室３３への液体の流入を制御する。中間弁４４は、ノーマルクローズ型の弁である。中間弁４４は、弁室４５を形成する弁箱５５を有する。中間弁４４は、弁室４５に配設される部材として、上流側から順に、流路形成部材５６と、第１付勢部材５７と、第１弁体５８と、弁棒５９と、を有している。また、中間弁４４は、第１弁体５８が開閉する第１弁孔６０を弁箱５５に有している。第１弁孔６０は、第２中間流路４６を通じて第２液体収容室３３に連通している。
【００３０】
流路形成部材５６は、第１付勢部材５７の内側に位置する第１流路６１を有する。流路形成部材５６は、第１付勢部材５７の外側に位置する第２流路６２を弁箱５５との協働により形成する。流路形成部材５６は、第１流路６１を取り囲むように配設される第１付勢部材５７の基端部を支持している。第１付勢部材５７は、圧縮コイルばねである。第１付勢部材５７は、流路形成部材５６に支持された基端部を固定端として第１弁体５８を付勢している。
【００３１】
第１弁体５８は、円板状の部材であり、第１弁孔６０を取り囲む第１弁座６３と対向している。第１弁体５８は、第１付勢部材５７によって第１弁座６３に向かって付勢されている。第１弁体５８には、第１弁座６３に向かって突出する円環状のシール部６４が形成されている。第１弁体５８のシール部６４が、第１弁座６３に接触することで弁室４５と第２液体収容室３３とは非連通状態となる。第１弁体５８のシール部６４が第１弁座６３から離れることで弁室４５と第２液体収容室３３とは連通状態となる。弁棒５９は、第１弁孔６０に挿通されている棒状部材である。弁棒５９は、一端が第１弁体５８に接続され、他端が受圧板６５に接触可能に構成されている。
【００３２】
受圧板６５は、円板状の部材である。受圧板６５は、弁棒５９の反対側が第１フィルム８１によって支持される。第１フィルム８１は、受圧板６５を覆うように配置されている。受圧板６５は、第１付勢部材５７によって第１弁体５８と弁棒５９とを介して第１フィルム８１に向けて付勢されている。
【００３３】
第１フィルム８１は、第２液体収容室３３内の液体が液体噴射ヘッド１５に供給されて第２液体収容室３３内が所定の大きさの負圧になると、第１付勢部材５７の付勢力に抗して第１弁体５８のシール部６４が第１弁座６３から離れる方向へ受圧板６５を押圧する。これにより、第１弁体５８のシール部６４が第１弁座６３から離れることで中間弁４４が開状態となり、弁室４５と第２液体収容室３３とは連通状態となる。連通状態では、第１液体収容室３１から第２液体収容室３３に液体が供給されることで第２液体収容室３３内の圧力が上昇する。第２液体収容室３３の圧力が所定値まで上昇すると、第１付勢部材５７の付勢力によって第１弁体５８のシール部６４が第１弁座６３に向かって移動する。第１弁体５８のシール部６４が第１弁座６３に着座すると中間弁４４は閉状態となり、弁室４５と第２液体収容室３３とは非連通状態となる。すなわち、中間弁４４は、液体噴射ヘッド１５による液体の消費にともなって第２液体収容室３３内が所定の大きさの負圧になると開弁して第２液体収容室３３に液体を供給する。中間弁４４は、第２液体収容室３３内の圧力が所定値まで上昇すると閉弁して第２液体収容室３３への液体の供給を遮断する。
【００３４】
第２液体収容室３３は、液体供給部３５に供給される液体を収容する。第２液体収容室は、液体連通流路３４を通じて液体供給部３５に接続されている。第２液体収容室３３は、液体連通流路３４を通じて液体供給部３５に液体を供給可能である。
【００３５】
液体供給部３５は、挿入口６８を有する。挿入口６８には、装着部１９に設けられた供給針２０が挿入される。液体供給部３５は、供給針２０が挿入口６８に挿入されることで供給針２０と接続される。これにより、液体供給部３５から供給針２０に液体が供給可能となる。液体供給部３５には、液体供給部３５内の流路を開閉する弁機構６９が配置されている。弁機構６９は、第２弁座７０、第２弁体７１、及び第２付勢部材７２を備える。第２弁座７０は、略円環状の部材である。第２弁座７０は、例えば、ゴムやエラストマー等の弾性体である。第２弁座７０は、液体供給部３５に圧入されている。第２弁体７１は、略円柱状の部材である。第２付勢部材７２は、圧縮コイルバネである。第２付勢部材７２は、第２弁体７１を第２弁座７０に向かう方向に付勢する。第２付勢部材７２の付勢力により、第２弁体７１は、液体収容容器１６がキャリッジ１４に搭載される前の状態では、第２弁座７０に形成された弁孔７３を塞いでいる。第２弁体７１は、液体収容容器１６がキャリッジ１４に搭載される際に供給針２０によって押圧されることで第２弁座７０から離れる方向に移動する。これにより、弁機構６９が開状態となり、液体供給部３５から供給針２０への液体の供給が可能となる。
【００３６】
図３〜図１２を参照して液体収容容器１６についてさらに詳しく説明する。なお、図４では、紙面の手前方向が＋Ｘ方向であり、紙面の奥行き方向が−Ｘ方向である。
図３及び図４に示すように、液体収容容器１６は、収容本体８０、第１フィルム８１、第２フィルム８２、及び第３フィルム８３を有している。液体収容容器１６は、略直方体形状をなしている。液体収容容器１６の長手方向はＹ方向であり、液体収容容器１６の短手方向はＸ方向である。液体収容容器１６は、上壁部８６、底壁部８７、前壁部８８、背壁部８９、第１側壁部９１、及び第２側壁部９２を有する。
【００３７】
液体収容容器１６の使用姿勢において、上壁部８６及び底壁部８７は、Ｘ方向及びＹ方向を含む壁部である。上壁部８６は、＋Ｚ方向に位置する。底壁部８７は、−Ｚ方向に位置する。上壁部８６及び底壁部８７は、収容本体８０によって形成される。
【００３８】
液体収容容器１６の使用姿勢において、前壁部８８及び背壁部８９は、Ｘ方向及びＺ方向を含む壁部である。前壁部８８は、＋Ｙ方向に位置する。背壁部８９は、−Ｙ方向に位置する。前壁部８８及び背壁部８９は、収容本体８０によって形成される。
【００３９】
液体収容容器１６の使用姿勢において、第１側壁部９１及び第２側壁部９２は、Ｘ方向及びＺ方向を含む壁部である。第１側壁部９１は、−Ｘ方向に位置する。第１側壁部９１は、第１フィルム８１によって形成される。第２側壁部９２は、＋Ｘ方向に位置する。第２側壁部９２は、第２フィルム８２によって形成される。
【００４０】
背壁部８９には、液体収容容器１６をキャリッジ１４の装着部１９に着脱させる際に利用されるレバー９３が設けられている。レバー９３は、弾性変形可能に構成されている。レバー９３は、装着部１９と係合することで液体収容容器１６が装着部１９から外れることを抑制する。レバー９３は、ユーザーの操作により装着部１９との係合が解除されることで装着部１９から液体収容容器１６の取り外しを可能にする。
【００４１】
収容本体８０は、略直方体形状をなしている。収容本体８０は、例えば、ポリプロピレンやポリスチレンなどの合成樹脂によって形成することが可能である。第１フィルム８１、第２フィルム８２、及び第３フィルム８３は、それぞれ可撓性を有しており、収容本体８０の異なる部分に気密に貼り付けられる。これにより、液体収容容器１６には、収容本体８０、第１フィルム８１、第２フィルム８２、及び第３フィルム８３の協働により液体や空気が流通する流路などが形成される。
【００４２】
図４に示すように、収容本体８０は、＋Ｘ方向に開口する凹形状をなしている。収容本体８０は、Ｙ方向及びＺ方向を含む壁である本体側壁９５を有している。本体側壁９５は、第１液体収容室３１と第２液体収容室３３とを区画する壁である。
【００４３】
本体側壁９５の＋Ｘ方向には、第１液体収容室３１を構成する凹部が形成されている。本体側壁９５の＋Ｘ方向の端面、すなわち収容本体８０の＋Ｘ方向の端面には、第２フィルム８２が貼り付けられる。第２フィルム８２は、第１液体収容室３１を構成する凹部を気密にする。第２フィルム８２が収容本体８０に貼り付けられることにより、第１液体収容室３１が区画形成される。
【００４４】
なお、本体側壁９５の−Ｘ方向には、第２液体収容室３３を構成する凹部と液体連通流路３４を構成する溝部とが形成されている。第１フィルム８１は、本体側壁９５の−Ｘ方向の端面、すなわち収容本体８０の−Ｘ方向の端面に気密に貼り付けられる。第１フィルム８１は、第２液体収容室３３を構成する凹部及び液体連通流路３４を構成する溝部を気密にする。これにより、第２液体収容室３３及び液体連通流路３４が区画形成される。
【００４５】
収容本体８０は、液体注入部３８を有する。液体注入部３８は、上壁部８６における＋Ｙ方向の端部に形成されている。液体注入部３８は、＋Ｚ方向に延びている。液体注入部３８は、筒状をなしている。液体注入部３８は、図示されない流路を通じて第１液体収容室３１に連通している。液体注入部３８には、仕切壁９９によって一対の流路が形成されている。一対の流路の一方は、液体注入時に第１液体収容室３１に液体を流入するための液体注入路として機能する。一対の流路の他方は、液体注入時に第１液体収容室３１から空気を排出するための空気排出路として機能する。液体注入部３８は、液体注入時以外は図示しないキャップが気密に装着される。
【００４６】
収容本体８０は、大気導入部３９を有する。大気導入部３９は、上壁部８６における−Ｙ方向の端部に大気開放部を有している。大気開放部は、＋Ｚ方向に延びている。大気導入部３９は、図示されない流路やバッファー室を通じて第１液体収容室３１に連通している。大気導入部３９は、液体噴射ヘッド１５による液体の噴射にともなって第１液体収容室３１から第２液体収容室３３に供給された液体の分だけ第１液体収容室３１に大気を導入する。
【００４７】
図３及び図４に示すように、収容本体８０の底壁部８７の一部は、第１液体収容室３１とフィルター室４２とを区画する隔壁４７として機能する。収容本体８０は、フィルター室４２の周壁を形成する周壁形成部１００を有している。周壁形成部１００は、隔壁４７の外周縁に一体に連結されている。周壁形成部１００は、−Ｚ方向に延びる筒状に形成されている。周壁形成部１００の−Ｚ方向の端面には、第３フィルム８３が気密に貼り付けられる。これによりフィルター室４２が区画形成される。
【００４８】
また、図４に示すように、収容本体８０の底壁部８７の一部は、第１液体収容室３１の底面を形成する底面形成部１０１として機能する。図４では、底面形成部１０１における＋Ｘ方向の端面をハッチングで示している。隔壁４７は、底面形成部１０１の一部である。底面形成部１０１は、Ｘ方向とＹ方向とを含む壁部であり、Ｙ方向の長さがＸ方向の長さよりも長い。底面形成部の長手方向は、Ｙ方向であり、底面形成部の短手方向は、Ｘ方向である。隔壁４７は、Ｙ方向における底面形成部１０１の中央を示す仮想線である第１中央仮想線１０２をＹ方向で跨ぐ領域に設定されている。隔壁４７は、Ｘ方向における底面形成部１０１の中央を示す仮想線である第２中央仮想線１０３をＸ方向で跨ぐ領域に設定されている。
【００４９】
隔壁４７は、第１液体収容室３１とフィルター室４２とを連通する連通路として第１連通路４８と第２連通路４９とを有する。第１連通路４８は、第１中央仮想線１０２に対する−Ｙ方向側、且つ第２中央仮想線１０３に対する＋Ｘ方向側で第１液体収容室３１に対して開口している。第２連通路４９は、第１中央仮想線１０２に対する＋Ｙ方向側、且つ第２中央仮想線１０３に対する−Ｘ方向側で第１液体収容室３１に対して開口している。
【００５０】
言い換えれば、第１連通路４８は、底面形成部１０１における−Ｙ方向寄りの位置であり、且つ底面形成部１０１における＋Ｘ方向寄りの位置で第１液体収容室３１に対して開口している。第２連通路４９は、底面形成部１０１における＋Ｙ方向寄りの位置であり、且つ底面形成部１０１における−Ｘ方向寄りの位置で第１液体収容室３１に対して開口している。すなわち、第１連通路４８及び第２連通路４９は、底面形成部１０１におけるＹ方向の中央を挟む位置で第１液体収容室３１に対して開口している。また、第１連通路４８及び第２連通路４９は、底面形成部１０１におけるＸ方向の中央を挟む位置で第１液体収容室３１に対して開口している。
【００５１】
図５及び図６を参照して、フィルター室４２付近の構造についてさらに詳しく説明する。なお、図５では、使用姿勢にある液体収容容器１６を−Ｚ方向から見た平面視におけるフィルター室４２付近の構造を第３フィルム８３及びフィルター５０を省略して示している。
【００５２】
図５及び図６に示すように、隔壁４７は、導出路５１を有している。導出路５１は、周壁形成部１００の内側に位置している。導出路５１は、−Ｚ方向に延びる四角筒状に形成されている。導出路５１は、−Ｚ方向の端部に導出口１０６を有している。導出路５１における−Ｚ方向の端面にはフィルター５０が取り付けられている。これにより、導出口１０６は、フィルター５０によって覆われる。導出路５１は、第３フィルム８３よりも＋Ｚ方向にフィルター５０の流入面５０ａを配置する。導出路５１は、フィルター５０を通過した液体を第１中間流路４３に導出する。言い換えれば、導出路５１は、フィルター５０を通過した液体を液体噴射ヘッド１５に向けて導出する。フィルター５０は、液体収容容器１６の−Ｚ方向からの平面視において導出路５１の外側に外周縁が位置する大きさであって、周壁形成部１００との間に隙間が形成される大きさに形成される。Ｚ方向と直交する方向における導出路５１と周壁形成部１００との間の空間は、フィルター５０よりも＋Ｚ方向に位置する環状の空間であって第１連通路４８及び第２連通路４９が開口する開口空間４２Ａである。
【００５３】
隔壁４７は、フィルター室４２における＋Ｚ方向の面である上面を構成するフィルター室形成面１０７を有している。フィルター室形成面１０７は、開口空間４２Ａの上面でもある。図５では、フィルター室形成面１０７にハッチングを施している。フィルター室形成面１０７は、液体収容容器１６の使用姿勢において、Ｘ方向及びＹ方向を含む面である。フィルター室形成面１０７は、−Ｚ方向からの液体収容容器１６の平面視において、導出口１０６の外側に位置する四角形状の外周縁、具体的には長方形状の外周縁を有する。フィルター室形成面１０７は、長手方向がＹ方向であり、短手方向がＸ方向である。フィルター室形成面１０７は、導出口１０６を挟んだ対角位置に位置する一対の角部である第１角部１０８と第２角部１０９とを有する。第１角部１０８は、フィルター室形成面１０７におけるＸ方向の中央よりも＋Ｘ方向に位置する部分と、フィルター室形成面１０７におけるＹ方向の中央よりも−Ｙ方向に位置する部分と、で構成される。第２角部１０９は、フィルター室形成面１０７におけるＸ方向の中央よりも−Ｘ方向に位置する部分と、フィルター室形成面１０７におけるＹ方向の中央よりも＋Ｙ方向に位置する部分と、で構成される。
【００５４】
第１連通路４８は、フィルター室４２に対する開口である第１連通口１１１を有する。第２連通路４９は、フィルター室４２に対する開口である第２連通口１１２を有する。第１連通口１１１及び第２連通口１１２は、フィルター５０の流入面５０ａよりも＋Ｚ方向に位置している。
【００５５】
−Ｚ方向からの液体収容容器１６の平面視において、第１連通口１１１は、Ｘ方向を長手方向として有する四角形状に形成されている。第１連通口１１１は、第１角部１０８の外縁の一部によって区画されている。第１連通口１１１は、第１角部１０８に対する−Ｙ方向に位置しており、第１角部１０８における−Ｙ方向の外縁１０８ａの一部によって＋Ｙ方向側が区画されている。第１連通口１１１は、Ｘ方向において導出口１０６よりも＋Ｘ方向に位置する部分を有する。第１連通口１１１は、Ｙ方向において導出口１０６よりも−Ｙ方向に位置する部分を有する。
【００５６】
−Ｚ方向からの液体収容容器１６の平面視において、第２連通口１１２は、Ｘ方向を長手方向として有する四角形状に形成されている。第２連通口１１２は、第２角部１０９の外縁の一部によって区画されている。第２連通口１１２は、第２連通口１１２は、第２角部１０９に対する＋Ｙ方向に位置しており、第２角部１０９における＋Ｙ方向の外縁１０９ａの一部によって−Ｙ方向側が区画されている。第２連通口１１２は、Ｘ方向において導出口１０６よりも−Ｘ方向に位置する部分を有する。第２連通口１１２は、Ｙ方向において導出口１０６よりも＋Ｙ方向に位置する部分を有する。
【００５７】
図５に示すように、周壁形成部１００は、上述したフィルター室形成面１０７、第１連通口１１１、及び第２連通口１１２を有する隔壁４７の外周縁に対して一体に連結されている。周壁形成部１００は、周壁本体１１５、第１張出部１１６、及び第２張出部１１７を有している。
【００５８】
周壁本体１１５は、隔壁４７の外周縁のうち第１連通口１１１及び第２連通口１１２を区画していない部分から−Ｚ方向に延びる壁で構成されている。周壁本体１１５は、第１壁１１８、第２壁１１９、第３壁１２０、及び第４壁１２１を有する。
【００５９】
液体収容容器１６の使用姿勢において、第１壁１１８及び第２壁１１９は、Ｙ方向及びＺ方向を含む壁である。第１壁１１８は、＋Ｘ方向に位置する。第２壁１１９は、−Ｘ方向に位置する。第３壁１２０及び第４壁１２１は、Ｘ方向及びＺ方向を含む壁である。第３壁１２０は、−Ｙ方向に位置する。第４壁１２１は、＋Ｙ方向に位置する。第１壁１１８の−Ｙ方向の端部は、第１張出部１１６を介して第３壁１２０の＋Ｘ方向の端部に連結されている。第１壁１１８の＋Ｙ方向の端部は、第４壁１２１の＋Ｘ方向の端部に連結されている。第２壁１１９の−Ｙ方向の端部は、第３壁１２０の−Ｘ方向の端部に連結されている。第２壁１１９の＋Ｙ方向の端部は、第２張出部１１７を介して第４壁１２１の−Ｘ方向の端部に連結されている。周壁本体１１５は、−Ｚ方向からの液体収容容器１６の平面視において、＋Ｘ方向に位置する壁の一部と−Ｘ方向に位置する壁の一部とが開放された四角枠形状に形成されている。
【００６０】
第１張出部１１６は、隔壁４７の外周縁のうち第１連通口１１１を区画する部分から−Ｚ方向に延びる壁で構成されている。第１張出部１１６は、第１壁１１８の−Ｙ方向の端部と第３壁１２０の＋Ｘ方向の端部とに一体に連結されている。第１張出部１１６は、−Ｚ方向からの液体収容容器１６の平面視において−Ｙ方向に張り出している。言い換えれば、第１張出部１１６は、−Ｚ方向からの液体収容容器１６の平面視において四角枠形状をなす周壁本体１１５の角部から−Ｙ方向に張り出している。第１連通口１１１は、−Ｚ方向からの液体収容容器１６の平面視において、第１張出部１１６に囲まれた領域に形成されている。
【００６１】
第２張出部１１７は、隔壁４７の外周縁のうち第２連通口１１２を区画する部分から−Ｚ方向に延びる壁で構成されている。第２張出部１１７は、第２壁１１９の＋Ｙ方向の端部と第４壁１２１の−Ｘ方向の端部とに一体に連結されている。第２張出部１１７は、−Ｚ方向からの液体収容容器１６の平面視において＋Ｙ方向に張り出している。言い換えれば、第２張出部１１７は、−Ｚ方向からの液体収容容器１６の平面視において四角枠形状をなす周壁本体１１５の角部のうち、第１張出部１１６が形成された角部に対して対角位置に位置する角部から＋Ｙ方向に張り出している。第２連通口１１２は、−Ｚ方向からの液体収容容器１６の平面視において、第２張出部１１７に囲まれた領域に形成されている。
【００６２】
上述した液体収容容器１６及び液体噴射装置１０の作用について説明する。
フィルター室４２では、中間弁４４が開状態にあるときに第１連通路４８及び第２連通路４９を通じて第１液体収容室３１の液体が流入する。フィルター室４２に流入した液体は、流れ方向が＋Ｚ方向へと折れ返されたのちフィルター５０に流入する。フィルター５０を通過した液体は、導出路５１を通じて第１中間流路４３に導出されて中間弁４４へと供給される。
【００６３】
第１連通路４８や第２連通路４９を通じて第１液体収容室３１からフィルター室４２に侵入した空気や、液体に溶け込んだ空気の一部は、気泡となってフィルター５０の流入面５０ａに付着する。このとき、フィルター５０は、有効面積が減少することによって流路抵抗が大きくなる。
【００６４】
図７及び図８に示すように、フィルター５０の流入面５０ａに付着した気泡１３０は、＋Ｘ方向へのキャリッジ１４の移動にともなう慣性によって太矢印で示すように−Ｘ方向に移動したのち、気泡１３０そのものの浮力によって開口空間４２Ａに流入する。
【００６５】
図９及び図１０に示すように、フィルター５０の流入面５０ａに付着した気泡１３０は、−Ｘ方向へのキャリッジ１４の移動にともなう慣性によって気泡１３０が＋Ｘ方向に移動したのち、気泡１３０そのものの浮力によって開口空間４２Ａに流入する。
【００６６】
開口空間４２Ａに流入した気泡１３０は、その後のキャリッジ１４の移動などによってフィルター室形成面１０７や周壁形成部１００に案内されて第１連通口１１１あるいは第２連通口１１２に流入し、第１液体収容室３１へと排出される。
【００６７】
上記実施形態の作用及び効果について説明する。
（１）液体収容容器１６には、装着部１９への装着時の誤差やメンテナンス装置１７によるメンテナンス、キャリッジ１４の移動にともなう振動などによって、Ｙ方向に対する傾斜が生じることがある。液体収容容器１６には、第１液体収容室３１とフィルター室４２とを連通させる第１連通路４８及び第２連通路４９が設けられている。そのため、そうした傾斜が生じた場合であっても第１連通路４８の第１連通口１１１あるいは第２連通路４９の第２連通口１１２に気泡１３０が案内されやすくなる。その結果、フィルター室４２に対する開口が１つである場合よりもフィルター室４２内の気泡１３０を第１液体収容室３１へと排出することができ、フィルター室４２内に気泡１３０が溜まりにくくなる。その結果、気泡１３０に起因する噴射不良が発生しにくくなる。
【００６８】
（２）第１連通口１１１は、Ｘ方向において導出口１０６よりも＋Ｘ方向に位置する部分を有する。第２連通口１１２は、Ｘ方向において導出口１０６よりも−Ｘ方向に位置する部分を有する。こうした構成によれば、フィルター５０の流入面５０ａに付着した気泡１３０がキャリッジ１４の移動によって第１連通口１１１あるいは第２連通口１１２に案内されやすくなる。
【００６９】
（３）第１連通口１１１は、Ｙ方向において導出口１０６よりも−Ｙ方向に位置する部分を有する。第２連通口１１２は、Ｙ方向において導出口１０６よりも＋Ｙ方向に位置する部分を有する。こうした構成によれば、液体収容容器１６が傾いて使用されていたとしても、その液体収容容器１６の傾きやキャリッジ１４の移動を利用して第１連通口１１１あるいは第２連通口１１２に気泡１３０が案内されやすくなる。
【００７０】
（４）隔壁４７は、四角形状の外周縁を有するフィルター室形成面１０７を有する。フィルター室形成面１０７は、導出口１０６を挟んだ対角位置に位置する一対の角部である第１角部１０８と第２角部１０９とを有する。第１連通口１１１は第１角部１０８の一部によって区画され、第２連通口１１２は第２角部１０９の一部によって区画されている。
【００７１】
こうした構成によれば、第１連通口１１１及び第２連通口１１２の一方は、キャリッジ１４の移動や液体収容容器１６の傾きを考慮したときの気泡１３０の移動方向における最下流側に配置される。その結果、キャリッジ１４の移動や液体収容容器１６の傾きによって第１連通口１１１あるいは第２連通口１１２に気泡１３０が案内されやすくなる。
【００７２】
（５）第１連通路４８は、底面形成部１０１の第１中央仮想線１０２に対する−Ｙ方向側で第１液体収容室３１に対して開口している。第２連通路４９は、底面形成部１０１の第１中央仮想線１０２に対する＋Ｙ方向側で第１液体収容室３１に対して開口している。
【００７３】
図１１及び図１２に示すように、上記構成によれば、第１液体収容室３１内の液量が少ないときにＹ方向に対して液面１３１が傾いたとしても、第１連通路４８及び第２連通路４９のいずれか一方がフィルター室４２に液体を導入可能な状態が維持されやすくなる。その結果、第１液体収容室３１内の液体の減少に起因する噴射不良が発生しにくくなる。
【００７４】
（６）第１連通路４８は、底面形成部１０１の第２中央仮想線１０３に対する＋Ｘ方向側で第１液体収容室３１に対して開口している。第２連通路４９は、底面形成部１０１の第２中央仮想線１０３に対する−Ｘ方向側で第１液体収容室３１に対して開口している。
【００７５】
上記構成によれば、第１液体収容室３１内の液量が少ないときにＸ方向に対して液面１３１が傾いたとしても、第１連通路４８及び第２連通路４９のいずれか一方がフィルター室４２に液体を導入可能な状態が維持されやすくなる。その結果、第１液体収容室３１内の液体の減少に起因する噴射不良が発生しにくくなる。
【００７６】
（７）第１液体収容室３１内の液量が少ないときに液体を注入する場合には、フィルター室４２と液面１３１との距離が近いためフィルター室４２に気泡が侵入しやすくなる。
この点、液体収容容器１６においては、第１液体収容室３１とフィルター室４２とが複数の連通路、すなわち第１連通路４８及び第２連通路４９で連通している。そのため、フィルター室４２は第１連通路４８及び第２連通路４９の一方を入口、他方を出口とする液体の流れが形成されやすくなり、フィルター室４２に侵入した気泡１３０が第１液体収容室３１に排出されやすくなる。
【００７７】
そのうえ、フィルター室４２は、底面形成部１０１の第１中央仮想線１０２に対するＹ方向の両側で第１液体収容室３１に連通している。また、フィルター室４２は、底面形成部１０１の第２中央仮想線１０３に対するＸ方向の両側で第１液体収容室３１に連通している。これにより、液体注入部３８の位置、すなわち注入時に第１液体収容室３１に液体が流入する位置や液体収容容器１６の傾きなどにかかわらず上述した流れが形成されやすいため、液体注入時にフィルター室４２に侵入した気泡１３０を効率よく排出することができる。
【００７８】
（８）液体収容容器１６においては、フィルター５０が設けられる導出口１０６は、使用姿勢において第１連通口１１１及び第２連通口１１２よりも下方に位置している。こうした構成によれば、フィルター５０の流入面５０ａに気泡１３０が付着することが抑制されるとともに、フィルター５０の流入面５０ａから離れた気泡１３０が開口空間４２Ａに流れ込むことで再び流入面５０ａに付着することが抑制される。こうした効果は、−Ｚ方向からの液体収容容器１６の平面視において、フィルター５０の外周縁が導出路５１よりも外側に位置することにより顕著なものとなる。
【００７９】
上記実施形態は、以下のように変更して実施することができる。上記実施形態及び以下の変更例は、技術的に矛盾しない範囲で互いに組み合わせて実施することができる。
・図１３に示すように、フィルター５０の流入面５０ａは、液体収容容器１６の使用姿勢において複数の連通口のうちの１つである第１連通口１１１に向けて傾斜していてもよい。こうした構成によれば、フィルター５０の流入面５０ａを用いて、浮力を利用した第１連通口１１１への気泡１３０の案内を行うことができる。その結果、第１液体収容室３１に対する気泡１３０の排出を効果的に行うことができる。
【００８０】
・図１４に示すように、フィルター５０の流入面５０ａは、液体収容容器１６の使用姿勢において複数の連通口に向けて傾斜していてよい。すなわち、フィルター５０の流入面５０ａは、例えば、第１連通口１１１及び第２連通口１１２の双方に向かって傾斜するように曲がっていてもよい。こうした構成によれば、フィルター５０の流入面５０ａを用いて、浮力を利用した連通口への気泡１３０の案内をさらに効率よく行うことができる。
【００８１】
・第１液体収容室３１に対する連通路の開口は、底面形成部１０１における第１中央仮想線１０２の両側に配置される構成に限られない。例えば、連通路は、底面形成部１０１における第１中央仮想線１０２の一方側のみに開口していてもよい。
【００８２】
・第１液体収容室３１に対する連通路の開口は、底面形成部１０１における第２中央仮想線１０３の両側に配置される構成に限られない。例えば、連通路は、底面形成部１０１における第２中央仮想線１０３の一方側のみに開口していてもよい。
【００８３】
・隔壁４７が有するフィルター室形成面１０７の外周縁は、四角形状として長方形状に限られない。例えば、フィルター室形成面１０７の外周縁は、四角形状であれば、ひし形状や平行四辺形状であってもよい。
【００８４】
・フィルター室形成面１０７は、四角形状の外周縁を有するものに限られない。フィルター室形成面１０７は、例えば、多角形状の外周縁を有するものであってもよいし、円形状の外周縁を有するものであってもよい。フィルター室形成面１０７は、楕円形状の外周縁を有するものであってもよい。
【００８５】
・第１連通口１１１は、第１角部１０８の外縁の一部によって区画されていればよい。例えば、第１連通口１１１は、第１角部１０８における−Ｙ方向の外縁と＋Ｘ方向の外縁によって区画される屈曲形状に形成されてもよい。第１連通口１１１は、第１角部１０８における＋Ｘ方向の外縁のみによって区画されてもよい。
【００８６】
・第２連通口１１２は、第２角部１０９の外縁の一部によって区画されていればよい。例えば、第２連通口１１２は、第２角部１０９における＋Ｙ方向の外縁と−Ｘ方向の外縁によって区画される屈曲形状に形成されてもよい。第２連通口１１２は、第２角部１０９における−Ｘ方向の外縁のみによって区画されてもよい。
【００８７】
・図１５に示すように、フィルター室４２の周壁を形成する周壁形成部１００は、周壁本体１１５のみで構成されてもよい。すなわち、周壁形成部１００は、四角筒状に形成されていてもよい。この場合、隔壁４７のフィルター室形成面１０７は、第１連通口１１１によって第１角部１０８の一部が切り欠かれ、第２連通口１１２によって第２角部１０９の一部が切り欠かれた形状となる。なお、図１５において、フィルター室形成面１０７は、ハッチングが施された部分である。
【００８８】
・周壁本体１１５のみで構成される周壁形成部１００は、四角筒状である場合、その横断面がひし形状であってもよいし、平行四辺形状であってもよい。また、周壁本体１１５のみで構成される周壁形成部１００は、円筒状であってもよいし、楕円筒状であってもよい。
【００８９】
・第１連通口１１１は、−Ｚ方向からの液体収容容器１６の平面視において、Ｘ方向において導出口１０６に対する＋Ｘ方向に位置する部分のみで構成されてもよい。第１連通口１１１は、−Ｚ方向からの液体収容容器１６の平面視において、Ｙ方向において導出口１０６に対する−Ｙ方向に位置する部分のみで構成されてもよい。
【００９０】
・第２連通口１１２は、−Ｚ方向からの液体収容容器１６の平面視において、Ｘ方向において導出口１０６に対する−Ｘ方向に位置する部分のみで構成されてもよい。第２連通口１１２は、−Ｚ方向からの液体収容容器１６の平面視において、Ｙ方向において導出口１０６に対する＋Ｙ方向に位置する部分のみで構成されてもよい。
【００９１】
・第１液体収容室３１とフィルター室４２とを連通する連通路は、フィルター室４２に対して複数の連通口を有していればよい。そのため、連通路は、フィルター室４２に対して３以上の連通口を有していてもよい。
【００９２】
・第１液体収容室３１とフィルター室４２とを連通する連通路は、フィルター室４２に対して複数の連通口を有していればよい。そのため、連通路は、例えば、隔壁４７の内部で分岐することにより、第１液体収容室３１に対する開口数とフィルター室４２に対する開口数とが互いに異なっていてもよい。
【００９３】
・フィルター５０の流入面５０ａは、フィルター室形成面１０７と面一となる位置に配置されてもよい。
・フィルター５０は、例えば、網目状体、多孔質体、微細な貫通孔を形成した多孔板などを用いることができる。網目状体のフィルターとしては、金網、樹脂性の網、メッシュフィルター、金属繊維などがある。金属繊維のフィルターとしては、ステンレスの細線をフェルト状にしたフェルトフィルター、ステンレスの細線を圧縮焼結させた金属焼結フィルターなどがある。多孔板のフィルターとしては、エレクトロフォーミング金属フィルター、電子線加工金属フィルター、レーザービーム加工金属フィルターなどがある。メッシュフィルターは、針金を織り込んで形成されるフィルターであり、平織、綾織、平畳織、綾畳織などのフィルターがある。
【００９４】
・液体噴射装置１０は、インク以外の他の液体を噴射したり吐出したりする液体噴射装置であってもよい。液体噴射装置から微小量の液滴となって吐出される液体の状態としては、粒状、涙状、糸状に尾を引くものも含むものとする。ここでいう液体は、液体噴射装置から噴射させることができるような材料であればよい。例えば、液体は、物質が液相であるときの状態のものであればよく、粘性の高い又は低い液状体、ゾル、ゲル水、その他の無機溶剤、有機溶剤、溶液、液状樹脂、液状金属、金属融液、のような流状体を含むものとする。液体は、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、エレクトロルミネッセンスディスプレイ、面発光ディスプレイ、カラーフィルターの製造等に用いられる電極材や色材等の材料を分散又は溶解のかたちで含む液体を噴射する装置がある。液体噴射装置は、バイオチップ製造に用いられる生体有機物を噴射する装置、精密ピペットとして用いられ試料となる液体を噴射する装置、捺染装置やマイクロディスペンサー等であってもよい。液体噴射装置は、時計やカメラ等の精密機械にピンポイントで潤滑油を噴射する装置、光通信素子等に用いられる微小半球レンズ、光学レンズ、などを形成するために紫外線硬化樹脂等の透明樹脂液を基板上に噴射する装置であってもよい。液体噴射装置は、基板などをエッチングするために酸又はアルカリ等のエッチング液を噴射する装置であってもよい。
【００９５】
上記実施形態及び変更例から把握できる技術的思想について記載する。
液体収容容器は、液体を噴射する液体噴射ヘッドと、前記液体噴射ヘッドを第１走査方向及び該第１走査方向とは反対の第２走査方向に往復移動させるキャリッジと、を備える液体噴射装置の前記キャリッジに使用姿勢で搭載され、前記液体噴射ヘッドに前記液体を供給する液体収容容器であって、前記液体を収容可能な液体収容室と、前記液体を濾過するフィルターと、前記フィルターが配置されるフィルター室と、前記液体収容室と前記フィルター室とを区画する隔壁と、を備え、前記フィルター室は、前記使用姿勢において前記液体収容室よりも鉛直方向下方となる位置に配置され、前記隔壁は、前記フィルターに覆われる導出口を有し、前記フィルターを通過した前記液体を前記液体噴射ヘッドに向けて導出する導出路と、前記導出路とは異なる位置に設けられ、前記フィルター室に開口する第１連通口及び第２連通口を介して前記液体収容室と前記フィルター室とに連通する連通路と、を有する。
【００９６】
液体収容容器が装着される液体噴射装置において、液体収容容器は傾いて使用されることがある。その点、上記構成によれば、液体収容室とフィルター室は、フィルター室に対して複数の連通口を有する連通路により連通する。そのため、フィルター室に対する連通口が１つの場合に比べてフィルター室内に浸入した気泡を浮力により液体収容室に排出しやすくできる。
【００９７】
上記液体収容容器では、前記使用姿勢にある前記液体収容容器を前記鉛直方向下方から見た平面視において、前記第１連通口は、前記導出口よりも前記第１走査方向に位置する部分を有し、前記第２連通口は、前記導出口よりも前記第２走査方向に位置する部分を有していてもよい。
【００９８】
上記構成によれば、キャリッジの移動によって気泡が第１連通口あるいは第２連通口に案内されやすくなる。
上記液体収容容器において、前記使用姿勢にある前記液体収容容器を前記鉛直方向下方から見た平面視において前記第１走査方向及び前記第２走査方向に直交する方向を副走査方向とするとき、前記第１連通口は、前記導出口よりも前記副走査方向における一方側に位置する部分を有し、前記第２連通口は、前記導出口よりも前記副走査方向における他方側に位置する部分を有していてもよい。
【００９９】
上記構成によれば、液体噴射装置の使用状態において液体収容容器が傾いていたとしても、その液体収容容器の傾きやキャリッジの移動を利用して第１連通口あるいは第２連通口へと気泡を案内することができる。
【０１００】
上記液体収容容器において、前記隔壁は、前記使用姿勢において前記フィルター室における鉛直方向上方の面を形成するフィルター室形成面を有し、前記フィルター室形成面は、前記使用姿勢にある前記液体収容容器を前記鉛直方向下方から見た平面視において、前記導出口の外側に位置する外周縁が四角形状に形成され、対角位置に位置する一対の角部である第１角部と第２角部とを有し、前記第１連通口は、前記第１角部の外縁の一部によって区画される部分を有し、前記第２連通口は、前記第２角部の外縁の一部によって区画される部分を有していてもよい。
【０１０１】
上記構成によれば、キャリッジの移動や液体収容容器の傾きを考慮したときの気泡の移動方向の下流側に第１連通口あるいは第２連通口が配置される。その結果、キャリッジの移動や液体収容容器の傾きによって気泡が連通口に案内されやすくなる。
【０１０２】
上記液体収容容器は、前記フィルターの流入面が前記第１連通口及び前記第２連通口の少なくとも１つに向けて傾斜していてもよい。
上記構成によれば、フィルターの流入面は、連通口に向けて気泡を案内することが可能である。これにより、フィルター室内の気泡を効率よく排出することができる。
【０１０３】
上記液体収容容器は、前記隔壁を含んで構成されて前記液体収容室の底面を形成する底面形成部を有し、前記連通路は、前記底面形成部の長手方向において、前記底面形成部の中央に対する一方側と他方側とで前記液体収容室に開口していてもよい。
【０１０４】
液体収容室内の液量が少ない場合に液体収容容器が底壁形成部の長手方向に傾くと、短手方向に傾く場合に比べて連通路における液体収容室側の開口が液面から露出しやすくなる。その点、上記構成によれば、連通路は、長手方向における底面形成部の中央に対する一方側と他方側とで液体収容室に開口している。そのため、連通路を通じてフィルター室に液体が導入可能な状態が維持されやすくなる。これにより、液体収容室内の液体の減少に起因する噴射不良が発生しにくくなる。
【０１０５】
液体噴射装置は、液体を噴射する液体噴射ヘッドと、前記液体噴射ヘッドを第１走査方向及び該第１走査方向とは反対の第２走査方向に往復移動させるキャリッジと、前記キャリッジに搭載され、前記液体噴射ヘッドに前記液体を供給する液体収容容器と、を備えた液体噴射装置であって、前記液体収容容器が上述した液体収容容器である。こうした構成によれば、上述した液体収容容器と同様の効果を得ることができる。
【符号の説明】
【０１０６】
Ｐ…媒体、１０…液体噴射装置、１１…ケース、１２…支持台、１３…ガイド軸、１４…キャリッジ、１５…液体噴射ヘッド、１６…液体収容容器、１７…メンテナンス装置、１８…制御部、１９…装着部、２０…供給針、２１…ノズル、２２…連通流路、２３…キャップ、２４…排出路、２５…排出ポンプ、３１…第１液体収容室、３２…接続流路、３３…第２液体収容室、３４…液体連通流路、３５…液体供給部、３８…液体注入部、３９…大気導入部、４２…フィルター室、４２Ａ…開口空間、４３…第１中間流路、４４…中間弁、４５…弁室、４６…第２中間流路、４７…隔壁、４８…第１連通路、４９…第２連通路、５０…フィルター、５０ａ…流入面、５１…導出路、５５…弁箱、５６…流路形成部材、５７…第１付勢部材、５８…第１弁体、５９…弁棒、６０…第１弁孔、６１…第１流路、６２…第２流路、６３…第１弁座、６４…シール部、６５…受圧板、６８…挿入口、６９…弁機構、７０…第２弁座、７１…第２弁体、７２…第２付勢部材、７３…弁孔、８０…収容本体、８１…第１フィルム、８２…第２フィルム、８３…第３フィルム、８６…上壁部、８７…底壁部、８８…前壁部、８９…背壁部、９１…第１側壁部、９２…第２側壁部、９３…レバー、９５…本体側壁、９９…仕切壁、１００…周壁形成部、１０１…底面形成部、１０２…第１中央仮想線、１０３…第２中央仮想線、１０６…導出口、１０７…フィルター室形成面、１０８…第１角部、１０８ａ…外縁、１０９…第２角部、１０９ａ…外縁、１１１…第１連通口、１１２…第２連通口、１１５…周壁本体、１１６…第１張出部、１１７…第２張出部、１１８…第１壁、１１９…第２壁、１２０…第３壁、１２１…第４壁、１３０…気泡、１３１…液面。
【図１】
2020131441.tif 000003
【図２】
2020131441.tif 000004
【図３】
2020131441.tif 000005
【図４】
2020131441.tif 000006
【図５】
2020131441.tif 000007
【図６】
2020131441.tif 000008
【図７】
2020131441.tif 000009
【図８】
2020131441.tif 000010
【図９】
2020131441.tif 000011
【図１０】
2020131441.tif 000012
【図１１】
2020131441.tif 000013
【図１２】
2020131441.tif 000014
【図１３】
2020131441.tif 000015
【図１４】
2020131441.tif 000016
【図１５】
2020131441.tif 000017